(57)【要約】【課題】セリフを強調する音響効果と音像の拡がりを強調する音響効果との使い分けをユーザが容易に行うことを可能にする。【解決手段】音響信号処理装置１００において、セリフ強調処理部１０１は、入力音響信号に対してセリフを強調する第１の音響効果を付与した第１の音響信号を生成する。サラウンド処理部１０２は、入力音響信号に対して音像の拡がりを強調する第２の音響効果を付与した第２の音響信号を生成する。第１の音響効果および第２の音響効果の強さは、ユーザが設定する音響効果設定値により一括して設定され、音響効果制御部１０４は、音響効果設定値に基づいて、入力音響信号と第１の音響信号との重みづけ和、もしくは、入力音響信号と第２の音響信号との重みづけ和を出力する。【選択図】図１
2020014138.tif 000002
【特許請求の範囲】
【請求項１】
入力音響信号に対してセリフを強調する第１の音響効果を付与した第１の音響信号を生成するセリフ強調処理部と、
前記入力音響信号に対して音像の拡がりを強調する第２の音響効果を付与した第２の音響信号を生成するサラウンド処理部と、
前記第１の音響効果および前記第２の音響効果の強さを一括して設定するための音響効果設定値のユーザによる設定値を取得するユーザ設定取得部と、
前記音響効果設定値に基づいて、前記入力音響信号と前記第１の音響信号との重みづけ和、もしくは、入力音響信号と前記第２の音響信号との重みづけ和を出力する音響効果制御部と、
を備える音響信号処理装置。
【請求項２】
前記音響効果設定値は、表示装置に表示されたＧＵＩ画面を用いて前記ユーザにより入力され、
前記ＧＵＩ画面は、スライダーを一方の端に近づけると前記第１の音響効果が強くなり、前記スライダーを他方の端に近づけると前記第２の音響効果が強くなるように前記音響効果設定値が設定されるスライドバーを備える、
請求項１に記載の音響信号処理装置。
【請求項３】
前記音響効果設定値は、表示装置に表示されたＧＵＩ画面を用いて前記ユーザにより入力され、
前記ＧＵＩ画面は、スライダーの横方向の座標に応じて前記第１の音響効果および前記第２の音響効果の片方の強さが変化し、前記スライダーの縦方向の座標に応じて前記第１の音響効果および前記第２の音響効果のもう片方の強さが変化するように前記音響効果設定値が設定される座標入力平面を備える、
請求項１に記載の音響信号処理装置。
【請求項４】
前記ＧＵＩ画面は、ユーザにより設定された前記音響効果設定値の表示を含む
請求項２または請求項３に記載の音響信号処理装置。
【発明の詳細な説明】
【技術分野】
【０００１】
本発明は、音響信号に音響効果を付与する音響信号処理装置に関するものである。
【背景技術】
【０００２】
テレビやカーナビゲーション装置（カーナビ）などのオーディオ機器の多くは、出力音声の音質のユーザ（受聴者）による調整を可能にする音響信号処理装置を備えている。例えば、ニュースやドラマなどのテレビ番組では、セリフやアナウンスなどの人間の声（以下「セリフ」と総称する）の聞き取り易さを重視した音響効果、すなわち、セリフを強調する音響効果のニーズがある。一方、音楽や映画の効果音では、音像の拡がりを重視した音響効果、すなわち、音像の拡がりを強調する音響効果のニーズもある。一般に、人間の声を主体とした出力音声は、左右に設置されたスピーカ間の中央に音像が定位するように生成される傾向があり、音楽や映画の効果音の出力音声は、中央だけでなく、左右にも広がって音像が定位するように生成される傾向が強い。
【０００３】
また、各種の音響効果を得るための音響信号処理のアルゴリズムが開発され、オーディオ機器に実装されている。例えば下記の特許文献１には、ステレオ信号の左右チャネルの和信号に、ヴォーカル音声帯域を抽出するフィルタと、ヴォーカル音声帯域から特定の周波数成分を減衰させるノッチフィルタとをかけることで、セリフを強調する音響効果を得る技術が開示されている。また、特許文献２には、ユーザの前方に配置した一対のスピーカを用いて、フロントステレオ信号およびリアサラウンド信号を再生し、リアサラウンド音の音像をユーザの後方に定位させることで、音像の拡がりを強調する音響効果を得る技術が開示されている。
【先行技術文献】
【特許文献】
【０００４】
【特許文献１】特開２００５−０８６４６２号公報
【特許文献２】特開平８−２６５８９９号公報
【発明の概要】
【発明が解決しようとする課題】
【０００５】
一般的なオーディオ機器は、セリフを強調する音響効果を得る機能と、音像の拡がりを強調する音響効果を得る機能との両方を備えることが多く、両者を同時に働かせることもできる。しかし、セリフを強調する音響効果を得る機能と、音像の拡がりを強調する音響効果を得る機能とを同時に働かせると、互いに効果を弱め合う結果となり、ユーザがその２つの音響効果を使い分けるのは難しい。
【０００６】
本発明は、上記の課題を解決するためになされたものであり、セリフを強調する音響効果と音像の拡がりを強調する音響効果との使い分けをユーザが容易に行うことを可能にする音響信号処理装置を提供することを目的とする。
【課題を解決するための手段】
【０００７】
本発明に係る音響信号処理装置は、入力音響信号に対してセリフを強調する第１の音響効果を付与した第１の音響信号を生成するセリフ強調処理部と、前記入力音響信号に対して音像の拡がりを強調する第２の音響効果を付与した第２の音響信号を生成するサラウンド処理部と、前記第１の音響効果および前記第２の音響効果の強さを一括して設定するための音響効果設定値のユーザによる設定値を取得するユーザ設定取得部と、前記音響効果設定値に基づいて、前記入力音響信号と前記第１の音響信号との重みづけ和、もしくは、入力音響信号と前記第２の音響信号との重みづけ和を出力する音響効果制御部と、を備えるものである。
【発明の効果】
【０００８】
本発明に係る音響信号処理装置によれば、セリフを強調する音響効果（第１の音響効果）および音像の拡がりを強調する音響効果（第２の音響効果）の強さを、１つの音響効果設定値を用いて一括して設定できるため、ユーザはそれら２つの音響効果の使い分けを容易に行うことができる。
【図面の簡単な説明】
【０００９】
【図１】本発明の実施の形態に係る音響信号処理装置の構成を示す図である。
【図２】本発明の実施の形態に係る音響信号処理装置のＧＵＩ画面の例を示す図である。
【図３】本発明の実施の形態に係る音響信号処理装置の動作を示すフローチャートである。
【図４】本発明の実施の形態に係る音響信号処理装置を用いたオーディオシステムの構成例を示す図である。
【図５】本発明の実施の形態に係る音響信号処理装置を用いたオーディオシステムの構成例を示す図である。
【発明を実施するための形態】
【００１０】
図１は、本発明の実施の形態に係る音響信号処理装置１００の構成を示す図である。図１のように、音響信号処理装置１００は、セリフ強調処理部１０１、サラウンド処理部１０２、ユーザ設定取得部１０３および音響効果制御部１０４を備える。また、音響信号処理装置１００には表示装置１０５および操作入力装置１０６が接続されている。ここで、音響信号処理装置１００に入力される音響信号（入力音響信号）は、５．１ｃｈ信号または２ｃｈのステレオ信号であるものと仮定し、以下では、その２種類の入力音響信号に対する処理を主に説明する。ただし、入力音響信号は、その２種類に限られず、例えば７．１ｃｈ信号などでもよい。また、ここでは一般的な液晶テレビなど、ステレオ音声を出力するオーディオ機器への適用を想定し、音響信号処理装置１００から出力される音響信号（出力音響信号）はステレオ信号であるものとする。ただし、出力音響信号もステレオ信号に限られず、例えば、音響信号処理装置１００が入力音響信号と同じｃｈ数の出力音響信号を出力するようにしてもよい。
【００１１】
セリフ強調処理部１０１は、入力音響信号に対してセリフを強調する音響効果（第１の音響効果）を付与するセリフ強調処理を行い、セリフを強調する音響効果が付与された音響信号（第１の音響信号）を出力する。
【００１２】
入力音響信号がステレオ信号の場合、セリフ強調処理部１０１は、左チャネル（Ｌｃｈ）信号と右チャネル（Ｒｃｈ）信号との相関成分を抽出して強調する処理を行うことで、入力音響信号にセリフを強調する音響効果を付与する。ステレオ信号の相関成分を抽出する方法は、一般的なものでよく、例えば特許文献１で開示された方法を用いることができる。
【００１３】
入力音響信号が５．１ｃｈ信号の場合、セリフ強調処理部１０１は、例えば、５．１ｃｈ信号に含まれるフロント左チャネル信号、センターチャネル（Ｃｃｈ）信号およびフロント右チャネル信号を用いた次の式（１）に基づいて、セリフを強調する音響効果が付与されたステレオ信号の左チャネル信号および右チャネル信号を生成する。
【００１４】
【数１】
2020014138.tif 000003
【００１５】
式（１）において、ｘｆｌ（ｎ）はフロント左チャネル信号、ｘｆｒ（ｎ）はフロント右チャネル信号、ｘｃ（ｎ）はセンターチャネル信号である。また、ｙ’ｌ（ｎ）は、セリフを強調する音響効果が付与されたステレオ信号の左チャネル信号、ｙ’ｒ（ｎ）は、セリフを強調する音響効果が付与されたステレオ信号の右チャネル信号である。なお、ｎはサンプルのインデックスである。
【００１６】
セリフ強調処理部１０１が入力音響信号にセリフを強調する音響効果を付与する方法は、上記の方法に限られず、任意の方法でよい。
【００１７】
サラウンド処理部１０２では、入力音響信号に対して音像の拡がりを強調する音響効果（第２の音響効果）を付与するサラウンド処理を行い、音像の拡がりを強調する音響効果が付与された音響信号（第２の音響信号）を出力する。
【００１８】
入力音響信号がステレオ信号の場合、ステレオ音声を出力する１対のスピーカの間隔が広いほど音像が拡がるという特性を利用し、サラウンド処理部１０２は、例えば公知のアルゴリズムであるトランスオーラルシステムを用いて、音響信号処理装置１００に接続される一対のスピーカ（図１では不図示）の間隔よりも広い間隔で配置された仮想的な一対のスピーカの伝達特性を、入力音響信号に付与する。
【００１９】
入力音響信号が５．１ｃｈ信号の場合、サラウンド処理部１０２は、５．１ｃｈ信号のフロント左チャネル信号、フロント右チャネル信号、センターチャネル信号、リア左チャネル信号、リア右チャネル信号を用いて、入力音響信号に音像の拡がりを強調する音響効果を付与する処理を行うことで、音像の拡がりを強調する音響効果が付与されたステレオ信号の左チャネル信号および右チャネル信号を生成すればよい。音像の拡がりを強調する方法は、一般的なものでよく、例えば特許文献２で開示された方法を用いることができる。
【００２０】
サラウンド処理部１０２が入力音響信号に音像の拡がりを強調する音響効果を付与する方法は、上記の方法に限られず、任意の方法でよい。
【００２１】
ここで、本実施の形態の音響信号処理装置１００では、入力音響信号に付与されるセリフを強調する音響効果の強さと、音像の拡がりを強調する音響効果の強さは、それぞれ個別に設定されるのではなく、１つの（１次元の）音響効果設定値によって一括して設定される。音響効果設定値は、ユーザの好みに応じて設定される。
【００２２】
本実施の形態では、ユーザ設定取得部１０３が、表示装置１０５に図２のようなＧＵＩ（Graphical User Interface）画面２００を表示させ、ユーザは、操作入力装置１０６を用いてＧＵＩ画面２００を操作し、音響効果設定値を設定することができる。
【００２３】
ここで、表示装置１０５は、例えば液晶表示装置などである。操作入力装置１０６は、表示装置１０５に表示されたＧＵＩ画面２００を操作するためのものであり、例えばキーボードや操作レバー、マウス、タッチパッドなどである。操作入力装置１０６としてのタッチパッドを表示装置１０５の画面上に配設し、表示装置１０５および操作入力装置１０６が１つのタッチパネルとして構成されていてもよい。
【００２４】
図２のＧＵＩ画面２００は、スライドバー２０１を含んでおり、ユーザがスライダー２０１ａをスライドバー２０１の左端に近づけるとセリフを強調する音響効果が強くなり、スライドバー２０１の右端に近づけると音像の拡がりを強調する音響効果が強くなるように、音響効果設定値が設定される。また、スライダー２０１ａをスライドバー２０１の中央に位置させると、入力音響信号にはセリフを強調する音響効果も音像の拡がりを強調する音響効果も付与されない。
【００２５】
ユーザ設定取得部１０３は、スライドバー２０１におけるスライダー２０１ａの位置を音響効果設定値に変換することで、ユーザが設定した音響効果設定値を取得する。本実施の形態では、スライダー２０１ａがスライドバー２０１の左端に位置するときに音響効果設定値が０に設定され、スライダー２０１ａがスライドバー２０１の中央に位置するときに音響効果設定値が５０に設定され、スライダー２０１ａがスライドバー２０１の右端に位置しているときに音響効果設定値が１００に設定されるものとする。
【００２６】
なお、ＧＵＩ画面の構成は、図２に示した例に限られない。例えば、ＧＵＩ画面に、ユーザがスライダーを用いて座標を入力できる座標入力平面を設け、スライダーの座標に応じて音響効果設定値が設定されるようにしてもよい。すなわち、スライダーのＸ座標（横方向の座標）に応じてセリフを強調する音響効果および音像の拡がりを強調する音響効果の片方の強さが変化し、スライダーのＹ座標（縦方向の座標）に応じてもう片方の強さが変化するようにしてもよい。例えば、スライダーの位置のＸ座標とＹ座標との差あるいは比率に基づいて、音響効果設定値が設定されるようにすることが考えられる。
【００２７】
また、ＧＵＩ画面に、ユーザにより設定された音響効果設定値の表示を含ませてもよい。
【００２８】
音響効果制御部１０４は、ユーザ設定取得部１０３が取得した音響効果設定値に基づいて、入力音響信号とセリフ強調処理部１０１が生成した音響信号（セリフを強調する音響効果が付与された音響信号）との重みづけ和、もしくは、入力音響信号とサラウンド処理部１０２が生成した音響信号（音像の拡がりを強調する音響効果が付与された音響信号）との重みづけ和を、最終的な出力となる音響信号（出力音響信号）として生成する。
【００２９】
入力音響信号がステレオ信号の場合、音響効果制御部１０４は、次の式（２）および（３）を用いて、出力音響信号の左チャネル信号および右チャネル信号を得る。
【００３０】
【数２】
2020014138.tif 000004
【００３１】
【数３】
2020014138.tif 000005
【００３２】
式（２）において、ｘｌ（ｎ）は入力音響信号の左チャネル信号、ｙ’ｌ（ｎ）はセリフ強調処理部１０１によりセリフを強調する音響効果が付与された左チャネル信号、ｙ’’ｌ（ｎ）はサラウンド処理部１０２により音像の拡がりを強調する音響効果が付与された左チャネル信号、ｙｌ（ｎ）は出力音響信号の左チャネル信号である。式（３）において、ｘｒ（ｎ）は入力音響信号の右チャネル信号、ｙ’ｒ（ｎ）はセリフ強調処理部１０１によりセリフを強調する音響効果が付与された右チャネル信号、ｙ’’ｒ（ｎ）はサラウンド処理部１０２により音像の拡がりを強調する音響効果が付与された右チャネル信号、ｙｒ（ｎ）は出力音響信号の右チャネル信号である。また、αは、ユーザにより設定された音響効果設定値β（０≦β≦１００）に基づいて定められる重み付け係数であり、次の式（４）により求められる。
【００３３】
【数４】
2020014138.tif 000006
【００３４】
入力音響信号が５．１ｃｈ信号の場合、音響効果制御部１０４は、次の式（５）および（６）を用いて、出力音響信号の左チャネル信号および右チャネル信号を得る。
【００３５】
【数５】
2020014138.tif 000007
【００３６】
【数６】
2020014138.tif 000008
【００３７】
式（５）において、ｘｆｌ（ｎ）は入力音響信号のフロント左チャネル信号、ｙ’ｌ（ｎ）はセリフ強調処理部１０１が生成したセリフを強調する音響効果が付与された左チャネル信号、ｙ’’ｌ（ｎ）はサラウンド処理部１０２が生成した音像の拡がりを強調する音響効果が付与された左チャネル信号、ｙｌ（ｎ）は出力音響信号の左チャネル信号である。式（６）において、ｘｆｒ（ｎ）は入力音響信号のフロント右チャネル信号、ｙ’ｒ（ｎ）はセリフ強調処理部１０１が生成したセリフを強調する音響効果が付与された右チャネル信号、ｙ’’ｒ（ｎ）はサラウンド処理部１０２が生成した音像の拡がりを強調する音響効果が付与された右チャネル信号、ｙｒ（ｎ）は出力音響信号の右チャネル信号である。また、αは、ユーザにより設定された音響効果設定値β（０≦β≦１００）に基づいて定められる重み付け係数であり、上記の式（４）により求められる。
【００３８】
式（２）〜（６）から分かるように、本実施の形態の音響効果制御部１０４は、音響効果設定値が５０未満のときは、入力音響信号とセリフを強調する音響効果が付与された音響信号との重みづけ和を出力音響信号として出力し、音響効果設定値が５０のときは、入力音響信号をそのまま出力音響信号として出力し、音響効果設定値が５０より大きいときは、入力音響信号と音像の拡がりを強調する音響効果が付与された音響信号との重みづけ和を出力音響信号として出力する。また、音響効果設定値が小さいほどセリフを強調する音響効果が強くなり、音響効果設定値が大きいほど音像の拡がりを強調する音響効果が強くなる。
【００３９】
よって、ユーザは、音響効果設定値を設定することで、セリフを強調する音響効果および音像の拡がりを強調する音響効果の強さを一括して設定できる。従って、ユーザは、セリフを強調する音響効果と音像の拡がりを強調する音響効果との切り替えを意識することなく、それら２つの音響効果の使い分けを直観的かつ容易に行うことができる。
【００４０】
図３は、音響信号処理装置１００の動作を示すフローチャートである。以下、図３に基づいて音響信号処理装置１００の動作を説明する。
【００４１】
音響信号処理装置１００に入力音響信号が入力されると、セリフ強調処理部１０１は、入力音響信号にセリフを強調する音響効果を付与した音響信号を生成する（ステップＳ１０）。また、サラウンド処理部１０２は、入力音響信号に音像の拡がりを強調する音響効果を付与した音響信号を生成する（ステップＳ１１）。
【００４２】
次に、ユーザ設定取得部１０３が、ＧＵＩ画面２００におけるスライドバー２０１のスライダー２０１ａの位置に基づいて、ユーザが設定した音響効果設定値を取得する（ステップＳ１２）。本実施の形態では、音響効果設定値βは、０≦β≦１００を満たす実数である。
【００４３】
続いて、音響効果制御部１０４は、ユーザ設定取得部１０３が取得した音響効果設定値を確認する。音響効果設定値が５０未満であれば（ステップＳ１３でＮＯ）、音響効果制御部１０４は、入力音響信号とセリフを強調する音響効果が付与された音響信号との重みづけ和を出力音響信号として生成して出力する（ステップＳ１４）。音響効果設定値が５０より大きければ（ステップＳ１５でＮＯ）、音響効果制御部１０４は、入力音響信号と音像の拡がりを強調する音響効果が付与された音響信号との重みづけ和を出力音響信号として生成して出力する（ステップＳ１６）。また、音響効果設定値が５０であれば（ステップＳ１５でＹＥＳ）、音響効果制御部１０４は、入力音響信号をそのまま出力音響信号として出力する（ステップＳ１７）。
【００４４】
図３のフローは、音響信号処理装置１００によりを繰り返し実行される。
【００４５】
音響信号処理装置１００は、ハードウェアもしくはソフトウェアにより実現可能である。
【００４６】
図４は、ハードウェアで構成した音響信号処理装置１００を用いたオーディオシステムの構成例を示すブロック図である。図４のオーディオシステムは、処理回路３０１、メディア再生装置３０２、放送波受信装置３０３、ＤＡＣ（Digital to Analog Converter ）回路３０４、アンプ３０５、スピーカ３０６、表示装置３０７および操作入力装置３０８により構成されている。
【００４７】
処理回路３０１は、音響信号処理装置１００の機能を備えた回路である。すなわち、処理回路３０１は、入力音響信号に対してセリフを強調する第１の音響効果を付与した第１の音響信号を生成し、入力音響信号に対して音像の拡がりを強調する第２の音響効果を付与した第２の音響信号を生成し、第１の音響効果および第２の音響効果の強さを一括して設定するための音響効果設定値のユーザによる設定値を取得し、音響効果設定値に基づいて、入力音響信号と第１の音響信号との重みづけ和、もしくは、入力音響信号と第２の音響信号との重みづけ和を出力する回路である。処理回路３０１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものなどが該当する。
【００４８】
メディア再生装置３０２は、例えば、ＣＤ（Compact Disc）、ＤＶＤ（Digital Versatile Disc）又はＢＤ（Blu-ray Disc（登録商標））等の媒体から入力音響信号となるデジタル信号を読み取って、処理回路３０１へ入力する。放送波受信装置３０３は、放送波を受信するテレビやラジオなどであり、入力音響信号となるデジタル信号を処理回路３０１へ入力する。
【００４９】
ＤＡＣ回路３０４は、音響信号処理装置１００である処理回路３０１から出力される出力音響信号をアナログ信号に変換する。アナログ信号に変換された出力音響信号は、アンプ３０５により増幅され、スピーカ３０６から音声として出力される。
【００５０】
なお、表示装置３０７および操作入力装置３０８は、図１に示した表示装置１０５および操作入力装置１０６に相当するものである。
【００５１】
図５は、ソフトウェアで構成した音響信号処理装置１００を用いたオーディオシステムの構成例を示すブロック図である。図５のオーディオシステムは、外部記憶装置４０１、メモリ４０２、プロセッサ４０３、メディア再生装置４０４、放送波受信装置４０５、スピーカ４０６、表示装置４０７および操作入力装置４０８を備えている。
【００５２】
音響信号処理装置１００は、プロセッサ４０３が、外部記憶装置４０１に記憶されたプログラムをメモリ４０２へ読み出し、メモリ４０２に格納した当該プログラムを実行することによって実現される。すなわち、当該プログラムは、プロセッサ４０３により実行されるときに、入力音響信号に対してセリフを強調する第１の音響効果を付与した第１の音響信号を生成する処理と、入力音響信号に対して音像の拡がりを強調する第２の音響効果を付与した第２の音響信号を生成する処理と、第１の音響効果および第２の音響効果の強さを一括して設定するための音響効果設定値のユーザによる設定値を取得する処理と、音響効果設定値に基づいて、入力音響信号と第１の音響信号との重みづけ和、もしくは、入力音響信号と第２の音響信号との重みづけ和を出力する処理と、が結果的に実行されることになるプログラムである。
【００５３】
なお、外部記憶装置４０１は、プロセッサ４０３に直接またはネットワークを経由して接続された、例えばハードディスクドライブ（ＨＤＤ）又はソリッドステートドライブ（ＳＳＤ）等である。
【００５４】
メディア再生装置４０４および放送波受信装置４０５は、図４に示したメディア再生装置３０２および放送波受信装置３０３に相当するものであり、入力音響信号となるデジタル信号をプロセッサ４０３へ送信する。
【００５５】
スピーカ４０６は、デジタル入力のスピーカであり、音響信号処理装置１００であるプロセッサ４０３が生成するデジタル信号の出力音響信号に基づき音声を出力する。もちろん、スピーカ４０６に代えて、ＤＡＣ回路とアナログ入力のスピーカを用いてもよい。
【００５６】
なお、表示装置４０７および操作入力装置４０８は、図１に示した表示装置１０５および操作入力装置１０６に相当するものである。
【００５７】
なお、本発明は、その発明の範囲内において、実施の形態を適宜、変形、省略することが可能である。
【符号の説明】
【００５８】
１００  音響信号処理装置、１０１  セリフ強調処理部、１０２  サラウンド処理部、１０３  ユーザ設定取得部、１０４  音響効果制御部、１０５  表示装置、１０６  操作入力装置、２００  ＧＵＩ画面、２０１  スライドバー、２０１ａ  スライダー、３０１  処理回路、３０２  メディア再生装置、３０３  放送波受信装置、３０４  ＤＡＣ回路、３０５  アンプ、３０６  スピーカ、３０７  表示装置、３０８  操作入力装置、４０１  外部記憶装置、４０２  メモリ、４０３  プロセッサ、４０４  メディア再生装置、４０５  放送波受信装置、４０６  スピーカ、４０７  表示装置、４０８  操作入力装置。
【図１】
2020014138.tif 000009
【図２】
2020014138.tif 000010
【図３】
2020014138.tif 000011
【図４】
2020014138.tif 000012
【図５】
2020014138.tif 000013